(57)【特許請求の範囲】
【請求項１】
貯蔵室と、
前記貯蔵室内を照明する照明手段と、を有し、
前記照明手段は、前記貯蔵室の天井から左右側面に連続して設けられ、光源を前記貯蔵室内側から覆うシェードを有し、
前記シェードは、天井シェードと、左右のコーナーシェードと、左右の側面シェードとに分割されて連続して設けられていることを特徴とする冷蔵庫。
【請求項２】
前記コーナーシェードは、前記天井シェード及び前記側面シェードとそれぞれラップしていることを特徴とする請求項１に記載の冷蔵庫。
【請求項３】
前記天井シェード及び前記側面シェードは、それらの長手方向にスライド可能に設けられていることを特徴とする請求項２記載の冷蔵庫。
【請求項４】
前記照明手段は、前記シェードが取付けられる取付部を有し、該取付部は前記シェードに覆われていることを特徴とする請求項１から３のいずれか一項記載の冷蔵庫。
【請求項５】
前記コーナーシェードは、移動規制手段を有して前記貯蔵室内の上側左右のコーナー部に固定されていることを特徴とする請求項１から４いずれか一項記載の冷蔵庫。
【請求項６】
前記光源は、前記貯蔵室の天井及び左右側面に収容されており、該光源から照射された光の一部は、前記コーナーシェードに導かれていることを特徴とする請求項１から５いずれか一項記載の冷蔵庫。
【発明の詳細な説明】
【技術分野】
【０００１】
本発明の実施形態は、冷蔵庫に関する。
【背景技術】
【０００２】
従来、例えば家庭用の冷蔵庫では、貯蔵室たる冷蔵室内を照明するようにしており、その照明手段としての照明器は、冷蔵室の天井に設けられたり、側壁に設けられたりしている（例えば、特許文献１）。
しかし、一般に照明器の照射角度は、その照明器の前方に向かって一定角度に限られている。このため、従来構成では、冷蔵室全体を明るく照らすことは難しかった。つまり、例えば、天井に照明器が設けられている場合、照明器に近い最上段の食品載置棚の隅の位置は、照明器の照射範囲から外れてしまい、特に暗くなり易いという事情があった。
【先行技術文献】
【特許文献】
【０００３】
【特許文献１】特開２００７−２７８６９８号公報
【発明の概要】
【発明が解決しようとする課題】
【０００４】
そこで、貯蔵室内全体を明るく照明することができる冷蔵庫を提供する。
【課題を解決するための手段】
【０００５】
本実施形態の冷蔵庫は、貯蔵室と、前記貯蔵室内を照明する照明手段と、を有し、前記照明手段は、前記貯蔵室の天井から左右側面に連続して設けられ、光源を前記貯蔵室内側から覆うシェードを有し、前記シェードは、天井シェードと、左右のコーナーシェードと、左右の側面シェードとに分割されて連続して設けられていることを特徴とする。
【図面の簡単な説明】
【０００６】
【図１】一実施形態に係る冷蔵庫本体上側の概略構成を示す斜視図
【図２】冷蔵室を示す正面図
【図３】断熱箱体を透視して照明ユニットを示す平面図
【図４】図３のＡ−Ａ線に沿う縦断正面図
【図５】図３のＢ−Ｂ線に沿う縦断正面図
【図６】天井シェードを取外した状態の天井照明ユニットを示す底面図
【図７】図３のＣ−Ｃ線に沿う縦断右側面図
【図８】図３のＤ−Ｄ線に沿う縦断右側面図
【図９】図３のＥ−Ｅ線に沿う縦断右側面図
【図１０】図３のＦ−Ｆ線に沿う縦断右側面図
【図１１】図３のＧ−Ｇ線に沿う縦断右側面図
【図１２】図３のＨ−Ｈ線に沿う縦断右側面図
【図１３】図３のＩ−Ｉ線に沿う縦断右側面図
【図１４】断熱箱体を透視して示す右側面図
【図１５】側面シェードを取外した状態の側面照明ユニットを冷蔵室内方から見た図
【図１６】図１４のＪ−Ｊ線に沿う縦断正面図
【図１７】図１４のＫ−Ｋ線に沿う縦断正面図
【図１８】図１４のＬ−Ｌ線に沿う横断平面図
【図１９】図１４のＭ−Ｍ線に沿う横断平面図
【図２０】図１４のＮ−Ｎ線に沿う横断平面図
【発明を実施するための形態】
【０００７】
以下、一実施形態について、図面を参照しながら説明する。
図１に冷蔵庫本体１の上側の構成を示すが、冷蔵庫本体１は、前面が開口した縦長矩形箱状をなす断熱箱体２に、図示しない冷凍サイクルなどが組込まれている。断熱箱体２は、鋼板製の外箱３と、この外箱３の内部に離間して収容された、例えば白色の樹脂製の内箱４との間に、例えばウレタンのような発泡断熱材を発泡充填させて構成されている。この断熱箱体２の内部は、上下及び一部で左右に仕切られ、該断熱箱体２の上部に位置して貯蔵室たる冷蔵室５が設けられている。冷蔵室５の下方には、図示しない野菜室及び冷凍室などが設けられている。冷蔵室５の前面部には、図示しないヒンジ開閉式の断熱扉が設けられる。また、野菜室や冷凍室の前面部には、図示しない引出し式の断熱扉が設けられる。
【０００８】
冷蔵室５内には、図１に示すように、天井から左右側面に連続させて照明手段たる照明ユニット６が設けられている。この照明ユニット６は、図２にも示すように、天井に設けられた天井照明ユニット７と、左右側壁に設けられた側面照明ユニット８，８とを、左右のコーナーシェード９，９が繋ぐように、天井から左右側壁にかけて連続するようにして配置されている。また、冷蔵室５の上部には、図１に示すように、冷蔵室５内を上下方向に仕切るようにして複数の、この場合２個の固定棚１０が取外可能に設けられている。これら固定棚１０は、後側の左右両側縁部を、固定棚支持部１１に支持されるとともに、前側の左右両側縁部を、左右の側面照明ユニット８に支持されている。固定棚支持部１１は、内箱４の左右側面から冷蔵室５内方に向かって突出させて、内箱４と一体にして設けられている。従って、この固定棚支持部１１の内部には、例えばウレタンのような発泡断熱材が充填されている。
【０００９】
固定棚１０の下方には、図１に示すように、可動棚１２が設けられている。この可動棚１２は、前後方向について前棚１２ａと後棚１２ｂとの２つに分割されている。そして、詳細は図示しないが、前棚１２ａは、後方にスライドして後棚１２ｂの下方に収納される。可動棚１２は、その左右両側縁部が可動棚支持部１３に支持されるとともに、前棚１２ａは、この可動棚支持部１３の上面を摺動する。この可動棚支持部１３も、内箱４の左右側面から冷蔵室５内側に向かって突出させて、内箱４と一体にして設けられている。従って、この可動棚支持部１３の内部にも、例えばウレタンのような発泡断熱材が充填されている。
【００１０】
次に、照明ユニット６について詳細を説明する。
照明ユニット６の天井部分を構成する天井照明ユニット７は、図１に示すように、全体として横長の矩形状をなしている。この天井照明ユニット７は、図４及び図６にも示すように、光源たる発光ダイオード１４ｂ，１４ｃを有する天井照明用回路基板１４が、天井照明ユニットベース１５に取付けられ、この天井照明ユニットベース１５が、天井照明取付部材１６に固定されるとともに、これらを天井シェード１７が冷蔵室５内側から覆うようにして構成されている。
【００１１】
取付部たる天井照明取付部材１６は、内箱４に対して冷蔵室５外側から取付られている。具体的には、この天井照明取付部材１６は、例えば樹脂製の射出成型品からなり、図６に示すように、下方から見て横長矩形状に構成されている。この天井照明取付部材１６は、図４に示すように、中央部から左右方向、即ち、長手方向の一部に亘って、上に凸形状をなすベース収容部１６ａが設けられている。この場合、ベース収容部１６ａの長手方向の長さは、後述する天井照明ユニットベース１５の基板収容部１５ａよりも若干長く設定されている。
【００１２】
内箱４には、図４に示すように、天井照明ユニットベース１５を収容するようにして、上に浅い凸状のユニット収容部４ａが設けられている。このユニット収容部４ａの中央部付近には、ベース収容部１６ａに対応させて、横長矩形状の収容穴４ｂが設けられている。この天井照明取付部材１６は、ベース収容部１６ａが冷蔵室５の外側から収容穴４ｂを覆うようにして配置されている。そして、この天井照明取付部材１６は、ねじ２２が冷蔵室５内側から内箱４を挟み込むようにして挿入されて、内箱４に固定されている。
【００１３】
天井照明ユニットベース１５は、内箱４と同系色、例えば白色の樹脂製の射出成形品からなり、図６に示すように、下方から見て横長矩形状に構成されている。そして、図４に示すように、天井照明ユニットベース１５には、その中央部から左右方向、即ち、長手方向の一部に亘って、この場合、天井照明用回路基板１４が容易に収容できる長さに亘って、上に凸形状をなす基板収容部１５ａが形成されている。この基板収容部１５ａの前後方向、即ち、短手方向に沿う、発光ダイオード１４ｂ，１４ｃ付近における断面形状は、図１１に示すように、中央部は上に凸形状をなすとともに、その前後（図１１においては左右）は下方に湾曲した形状をなしている。また、基板収容部１５ａの左右方向、即ち、長手方向における中央付近から左右に離間した位置において、その前後方向、即ち、短手方向に沿う断面形状を図１２に示すように、前記凸形状部分の一部が除かれた形態で、下方から見て矩形状の取付穴１５ｂが設けられている（図６も参照）。
【００１４】
天井照明用回路基板１４は、図６に示すように、横長の矩形状の一枚の基板１４ａに、光源たる発光ダイオードが複数個、この場合は２個の発光ダイオード１４ｂ，１４ｃが実装されるとともに、これら発光ダイオード１４ｂ，１４ｃを駆動させるための図示しない回路基板を有している。この天井照明用回路基板１４は、基板取付部材１８を介して天井照明ユニットベース１５に取付けられている。
【００１５】
基板取付部材１８は、図６及び図１３に示すように、横長矩形状の基板支持部１８ａと、その後縁から天井照明ユニットベース１５の湾曲部分に沿って湾曲した湾曲部１８ｂとを有して構成されている。この基板支持部１８ａの後縁部には、その一部が立ち上がるとともに前方に突出したいわゆる逆Ｌ字形状の基板用爪１８ｃが設けられている。天井照明用回路基板１４は、その後縁部を、基板用爪１８ｃに引っかけて係止させることで取付けられている。
【００１６】
ちなみに、基板支持部１８ａの上面には、図１２及び図１３に示すように、基板支持部１８ａの長手方向に延びる縁部、即ち、前後の縁部において、小さな凸形状をなす複数個の基板載置部１８ｄが点在して設けられている。天井照明用回路基板１４は、この基板載置部１８ｄに載置される。この場合、天井照明用回路基板１４は、その前後の縁部の一部が基板載置部１８ｄと接触するだけである。つまり、天井照明用回路基板１４は、基板支持部１８ａとの間に空間を有して取付けられている。このため、天井照明用回路基板１４における回路が形成されている基板中央部分は、基板支持部１８ａに触れることはない。従って、回路部分が、基板載置部１８ｄなどに接触することによる断線や短絡などの回路不良を防ぐことができ、回路を保護することができる。
【００１７】
基板支持部１８ａの前後の縁部には、図１２に示すように、基板用爪１８ｃ（図１３参照）と左右方向において重ならない位置に、その一部が立ち上がるとともに、前方又は後方に突出する複数個の係止爪１８ｅが設けられている。基板取付部材１８は、これら係止爪１８ｅが、天井照明ユニットベース１５に設けられた取付穴１５ｂの前後の縁部に係止されて、天井照明ユニットベース１５に取付けられている。天井照明ユニットベース１５は、図１０にも示すように、天井照明ユニットベース１５との間に内箱４の一部を挟み込むようにして設けられている。そして、ねじ２３が、冷蔵室５内側から天井照明ユニットベース５と内箱４とを貫通されて、天井照明取付部材１６に対して挿入されて固定されている。この場合、天井照明ユニットベース１５は、図４に示すように、内箱４のユニット収容部４ａに収容されるとともに、基板収容部１５ａが収容穴４ｂから冷蔵室５の外側上方に突出するようにして配置されている。そして、この基板収容部１５ａは、天井照明取付部材１６のベース収容部１６ａに覆われて収容されている。
【００１８】
天井シェード１７は、図１及び図４に示すように、ユニット収容部４ａを覆うように、つまり、天井照明ユニットベース１５や天井照明取付部材１６の大部分を覆うようにして設けられている。具体的には、天井シェード１７は、例えばアクリルなどの透明又は半透明の樹脂製の射出成型品からなり、図１に示すように、下方から見て横長矩形状に構成されている。この天井シェード１７は、図７〜図１３にも示すように、その周縁部に短い立ち上がりを有する浅い皿形状をなしている。天井シェード１７には、図９に示すように、前後方向、即ち、短手方向における両縁部から若干中央側に位置して、その一部が立ち上がるとともに、前方又は後方、即ち、短手方向の外側に向かって突出するようないわゆる逆Ｌ字形状をなす複数個の天井シェード爪１７ａが設けられている。
【００１９】
天井照明取付部材１６の下側面には、短手方向の両縁部において、その一部が立ち下がるとともに短手方向の中央側に突出するようにして、いわゆるＬ字形状の複数個の天井シェード爪受部１６ｃが設けられている。これら複数個の天井シェード爪受部１６ｃは、それぞれ天井シェード爪１７ａに対応している。天井シェード１７は、天井シェード爪１７ａを、対応する天井シェード爪受部１６ｃに係止されて、天井照明取付部材１６に取付けられている。この場合、天井シェード１７は、天井照明取付部材１６からの落下を防ぐように下方への移動を規制されて取付けられているが、左右方向、即ち、天井シェード１７の長手方向については規制されていない。このため、天井シェード１７は、天井シェード爪１７ａが天井シェード爪受部１６ｃに案内されて、左右方向、即ち、天井シェード１７の長手方向にスライド可能に構成されている。
【００２０】
なお、天井シェード１７の長手方向について、天井シェード爪受部１６ｃの寸法は、天井シェード爪１７ａの寸法に対して十分に長く設定されている。例えば、天井シェード爪受部１６ｃの長手方向の寸法は、天井シェード爪１７ａの寸法の少なくとも２倍程度の長さに設定されている。これにより、天井シェード１７のスライドの前後においても、天井シェード爪１７ａは、天井シェード爪受部１６ｃから外れないように構成されている。この天井シェード１７には、図１１に示すように、裏面、即ち、天井照明用回路基板１４に対向する面に、光拡散部１７ｂが形成されている。この光拡散部１７ｂは、例えば、格子状の溝形状が多数設けられて、この光拡散部１７ｂを通った光が拡散するように構成されている。この光拡散部１７ｂによって、天井照明ユニット７は、指向性の強い発光ダイオードなどの光源からの光が拡散されてより均一な面光源となり、冷蔵室５内がまんべんなく照らされる。
【００２１】
次に、照明ユニット６の左右側面部分を構成する側面照明ユニット８について説明する。
冷蔵室５内の左右側壁には、天井照明ユニット７から連続するようにして側面照明ユニット８が設けられている。この側面照明ユニット８は、図１４〜図２０に示すように、全体として上下に縦長の矩形状をなし、側面照明用回路基板２１が設けられた取付部たる側面照明取付部材１９に、側面シェード２０が被せられて構成されている。この側面シェード２０は、例えばアクリルなどの透明又は半透明の樹脂製の射出成型品からなり、図１及び図１８に示すように、冷蔵室５の左右側面よりも内方に凸状の曲線形状、いわゆるアーチ形状となるように突出して設けられている。この場合、側面照明取付部材１９の大部分は、側面シェード２０に覆われている。
【００２２】
この側面シェード２０には、図１、図２、図１６及び図１７に示すように、固定棚支持部１１の上面とほぼ同じ高さとなるように凹溝部２０ａが設けられている。固定棚１０は、左右側縁部が凹溝部２０ａに入り込むことにより、該固定棚１０の上下方向の移動が規制された状態で支持される。この場合、固定棚１０は、凹溝部２０ａにスライドさせて出し入れすることができる。側面シェード２０には、図１９に示すように、凹溝部２０ａの裏面に位置して、その一部が冷蔵室５の外側に突出するとともに、該側面シェード２０の前後方向、即ち、短手方向における外側に突出するようにして、複数の側面シェード爪２０ｂが設けられている。
【００２３】
側面照明用回路基板２１は、図１５に示すように、縦長の矩形状の一枚の基板２１ａに、光源たる発光ダイードが複数個、この場合は３個の発光ダイオード２１ｂ，２１ｃ，２１ｄが、固定棚１０をそれぞれ跨ぐようにして配置されている（図１も参照）。基板２１ａの上下方向、即ち、長手方向の側縁部には、その一部をコの字形状に切欠いた複数の切欠部２１ｅが設けられている。
【００２４】
側面照明取付部材１９は、縦長の矩形状であって、図１６及び図１７に示すように、冷蔵室５の外側にやや膨らんだ凸状をなしている。また、側面照明取付部材１９の上部には、緩やかな傾斜部１９ａを有している。図１５に示すように、側面照明取付部材１９の前面、即ち、冷蔵室５側には、側面照明用回路基板２１に設けられた複数の切欠部２１ｅに対応して、冷蔵室５内方に向かって前方上方に突出したＬ字形状の基板用係止部１９ｂが設けられている。側面照明用回路基板２１は、基板２１ａに形成された切欠部２１ｅが基板用係止部１９ｂに係止されることにより、左右方向及び上下方向に位置決めされて、側面照明取付部材１９に取付けられている。
【００２５】
ちなみに、側面照明取付部材１９の前面、即ち、冷蔵室５内側の面において、図１６に示すように、側面照明取付部材１９の短手方向における両縁部には、小さな凸形状をなす複数個の基板載置部１９ｆが、上下方向、即ち、側面照明取付部材１９の長手方向に亘って点在して設けられている。側面照明用回路基板２１は、この基板載置部１９ｆに載置される。この場合、側面照明用回路基板２１は、その前後の縁部の一部が基板載置部１９ｆと接触するだけである。従って、回路部分が、側面照明取付部材１９に接触することによる断線や短絡などの回路不良を防ぐことができ、回路を保護することができる。
【００２６】
側面照明取付部材１９の前面には、図１５及び図１７に示すように、側面照明用回路基板２１の両外側に位置して、肉厚となる保持部１９ｃが設けられている。また、図１５に示すように、保持部１９ｃの上方には、それぞれ側面シェード爪２０ｂに対応して、矩形の穴をなす側面シェード爪受穴１９ｄが設けられている。側面シェード２０は、図１７に示すように、保持部１９ｃにそれぞれ対応する凹溝部２０ａが載置されるとともに、図１９に示すように、側面シェード爪２０ｂをそれぞれ対応する側面シェード爪受穴１９ｄに係止させて、側面照明取付部材１９に取付けられている。
【００２７】
側面シェード２０の上下方向、即ち、長手方向について、側面シェード爪受穴１９ｄの寸法は、側面シェード爪２０ｂの寸法に対して十分に長く設定されている。例えば、側面シェード爪受穴１９ｄの長手方向の寸法は、側面シェード爪２０ｂの長手方向の寸法の少なくとも２倍程度に設定されている。この場合、側面シェード２０は、側面シェード爪２０ｂが側面シェード爪受穴１９ｄに係止されることにより、冷蔵室５内側への外れが防止される。そして、この側面シェード２０は、左右、即ち、側面シェード２０の短手方向に対しては規制されているが、上下方向、即ち、側面シェード２０の長手方向に対しては規制されていない。このため、側面シェード２０は、側面シェード爪２０ｂが側面シェード爪受穴１９ｄに案内されて、上下方向、即ち、側面シェード２０の長手方向にスライド可能となっている。
【００２８】
この側面シェード２０には、図１７に示すように、裏面、即ち、側面照明用回路基板２１に対向する面に、光拡散部２０ｃが形成されている。この光拡散部２０ｃは、例えば、光拡散部１７ｂと同様に、格子状の溝形状が多数設けられて、この光拡散部２０ｃを通った光が拡散するように構成されている。この光拡散部２０ｃによって、側面照明ユニット８は、指向性の強い発光ダイオードなどの光源からの光が拡散されてより均一な面光源となり、冷蔵室５内がまんべんなく照らされる。
【００２９】
冷蔵室５内の上側左右のコーナー部には、図１及び図４などに示すように、天井照明ユニット７と側面照明ユニット８とを繋ぐようにして、コーナーシェード９，９が設けられている。つまり、照明ユニット６のコーナー部分を構成するコーナーシェード９は、その両端部において、天井シェード１７及び側面シェード２０に接続されるようにして設けられている。具体的には、コーナーシェード９は、天井シェード１７や側面シェード２０と同じ材質、例えばアクリルなどの透明又は半透明の樹脂製の射出成型品からなり、図１に示すように、内箱４のコーナー部に沿うようにしてほぼ直角に曲げられて構成されている。
【００３０】
このコーナーシェード９の天井側、即ち、天井シェード１７に接続される部分は、天井シェード１７の短手方向に沿う断面形状に類似した形状、つまり、前後の縁部に若干の立ち上がりを有する浅い皿形状をなしている。そして、このコーナーシェード９と天井シェード１７とは、図１６に示すように、ラップして設けられている。この場合、コーナーシェード９の天井側の端部と、天井シェード１７の端部とは、相互に嵌り合うような段形状に構成されている。つまり、図７及び図１６に示すように、コーナーシェード９の端部は、前記ラップ部分において、天井シェード１７の上側に入り込むようにして設けられている。そして、コーナーシェード９の下面と天井シェード１７の下面とは、ほぼ同じ高さで同一面上に位置している。これにより、天井シェード１７とコーナーシェード９とは、前記ラップ部分で滑らかに連続するように構成されている。なお、この場合、天井シェード１７は、その長手方向にスライドした後であっても、コーナーシェード９の天井側とラップしている。
【００３１】
コーナーシェード９の天井側の端部には、図８に示すように、その一部が立ち上がるとともに、前後方向の内側、即ち、コーナーシェード９の短手方向における内側に突出させて構成された一対の天井側係止爪９ａが設けられている。また、天井照明取付部材１６には、天井側係止爪９ａに対応させて、その一部が立ち下がるとともに短手方向における外側に突出させて構成された一対の天井側爪受部１６ｂが設けられている。コーナーシェード９は、この天井側係止爪９ａが天井側爪受部１６ｂに係止されて取付けられている。天井照明取付部材１６には、図１６に示すように、前後方向、即ち、短手方向の中央寄りに位置させて、その一部を下方に突出させた係止部１７ｃが設けられている。コーナーシェード９は、移動規制手段たる天井側係止爪９ａが係止部１７ｃに係止されて、冷蔵室５の中央方向、即ち、天井照明ユニット７の長手方向における中央方向の移動が規制されている。
【００３２】
コーナーシェード９の側面側、即ち、側面シェード２０に接続される部分は、側面シェード２０の短手方向に沿う断面形状に類似した形状、つまり、冷蔵室５内方に凸状の曲線形状をなすいわゆるアーチ形状に構成されている。そして、このコーナーシェード９と側面シェード２０とは、図１６に示すように、ラップして設けられている。この場合、コーナーシェード９の側面側の端部は、図１６に示すように、段部９ｃを有するとともに側面シェード２０と側面照明取付部材１９との間に大きく入り込むようにして側面係止部９ｄが設けられている。これにより、側面シェード２０の前面と、コーナーシェード９の側面側の前面とは、ほぼ同一のアーチ面上に位置し、前記ラップ部分で滑らかに連続するように構成されている。なお、この場合、側面シェード２０は、スライドした後であっても、コーナーシェード９の側面側とラップしている。
【００３３】
側面照明取付部材１９の上部には、図１６に示すように、冷蔵室５内方に突出するようにしてシェード支持部１９ｅが設けられている。コーナーシェード９は、側面係止部９ｄがシェード支持部１９ｅに支持されるとともに、段部９ｃが側面シェード２０の上端に支持される。また、コーナーシェード９は、側面側の移動規制手段たる側面係止部９ｄが側面照明取付部材１９に当接して設けられており、これにより、冷蔵室５の外方、即ち、天井照明ユニット７の長手方向における外方への移動が規制されている。
【００３４】
このようにして、天井照明ユニット７の光源たる発光ダイオード１４ｂ，１４ｃ、及び側面照明ユニット８の光源たる発光ダイオード２１ｂ，２１ｃ，２１ｄを、冷蔵室５内側から覆うシェードは、天井シェード１７と、左右のコーナーシェード９，９と、左右の側面シェード２０，２０とに分割されて連続して設けられている。
【００３５】
ちなみに、このコーナーシェード９には、図５及び図１６にも示すように、裏面、即ち、冷蔵室５に対して外側の面に、光拡散部９ｂが形成されている。この光拡散部９ｂは、天井シェード１７の光拡散部１７ｂや、側面シェード２０の光拡散部２０ｃと同様に、格子状の溝形状が多数設けられて、この光拡散部９ｂを通った光が拡散するように構成されている。この場合、天井照明ユニット７の発光ダイオード１４ｂ，１４ｃや、側面照明ユニット８の発光ダイオード２１ｂ，２１ｃ，２１ｄから照射された光の一部は、主に天井シェード１７や側面シェード２０を介してコーナーシェード９に導かれる。そして、コーナーシェード９に導かれた光は、光拡散部９ｂを通って拡散され、冷蔵室５内に照射される。これにより、冷蔵室５内の上部の隅部においても光が照射される。
【００３６】
上記した一実施形態によれば次のような作用効果を得ることができる。
本実施形態の構成によれば、冷蔵室５内を照明する照明ユニット６は、天井に設けられた天井照明ユニット７と、左右側壁に設けられた側面照明ユニット８，８とを、左右のコーナーシェード９，９が繋ぐようにして、天井から左右側面にかけて連続させて設けられている。この構成によれば、照明ユニット６が、天井から左右側面に連続して設けられているため、天井照明ユニット７と側面照明ユニット８の両方から照明される。このため、例えば、最上段の食品載置棚の隅の位置であっても、照明ユニット６の照射範囲から外れ難くなる。これにより、冷蔵室５内全体を明るく照明することができる。
【００３７】
ちなみに、一般に冷蔵庫などのように温度変化を伴うものにおいて、例えば、内箱４や照明ユニット６などの樹脂製の部品については、温度変化によって膨張や収縮などの変形が生じる虞がある。ここで、例えば、天井シェード１７と、左右のコーナーシェード９，９と、左右の側面シェード２０，２０とを一体にして、即ち、一部品のシェードとして構成した場合、冷蔵室５内が冷却されると、前記一部品のシェードには、様々な方向に働く力が合成されて、ほぼ全体として中央に向かう収縮力が生じる。この収縮力は、前記一部品のシェードが取付けられる天井や側面に対して垂直方向に大きく作用する、即ち、シェードが剥離される方向に作用することになる。このため、前記一部品のシェード（即ち、一体にされた天井シェード１７と、左右のコーナーシェード９，９、及び左右の側面シェード２０，２０）と、内箱４との間に隙間が生じてしまう虞がある。このような隙間が生じると、意匠性が悪くなることはもちろん、異物が隙間に入ってしまい、照明用回路基板１４，２１などに悪影響を与える虞がある。
【００３８】
しかし、本実施形態において、照明ユニット６の光源を冷蔵室５内側から覆うシェードは、天井シェード１７と、左右のコーナーシェード９，９と、左右の側面シェード２０，２０とに分割されて設けられている。この場合、冷蔵室５内が冷却されると、それぞれのシェードについて個別に収縮力が生じるため、天井や側面に対して垂直方向、即ち、剥離される方向に力は作用し難くなる。特に、天井シェード１７及び側面シェード２０においては、その長手方向に対して収縮力が生じ易くなる。このため、本実施形態においては、冷蔵室５内の冷却によって、天井シェード１７、左右のコーナーシェード９，９、及び左右の側面シェード２０，２０が収縮されても、これらシェードは内箱４から剥離され難い。従って、冷却によって、これらシェードと内箱４との間に隙間が生じることを極力防止することができる。
【００３９】
また、コーナーシェード９は、天井シェード１７及び側面シェード２０とラップして設けられている。この構成によれば、天井シェード１７及び側面シェード２０が収縮して、コーナーシェード９と天井シェード１７との隙間、及びコーナーシェード９と側面シェード２０との隙間が広がったとしても、それぞれラップしていることにより、見た目上では、収縮の前後においてほとんど変化が無いように見せることができる。つまり、冷蔵室５内の冷却によって、天井シェード１７や側面シェード２０が収縮しても、この収縮によって生じた隙間をほとんど目立たなくさせて、意匠性を向上することができる。
【００４０】
ここで、例えば、天井シェード１７が、内箱４に完全に固定されている場合、冷却によって生じる天井シェード１７と内箱４との変形量の差、つまり、天井シェード１７と、それを固定する内箱４との相対的な変形量が大きいと、天井シェード１７は、内箱４に引っ張られて大きなひずみが生じることになる。このため、天井シェード１７を内箱４に完全に固定させると、冷蔵室５内の冷却による収縮の影響を受けて、天井シェード１７は破損し易くなるという事情がある。側面シェード２０についても同様である。
【００４１】
しかし、本実施形態においては、天井シェード１７は、左右方向、即ち、天井シェード１７の長手方向に対してスライド可能に設けられている。同様に、側面シェード２０は、上下方向、即ち、側面シェード２０の長手方向に対してスライド可能に設けられている。この構成によれば、冷蔵室５内の冷却によって、内箱４や、天井シェード１７及び側面シェード２０が収縮されて、これら内箱４と、天井シェード１７及び側面シェード２０との間に相対的なずれが生じた場合であっても、天井シェード１７及び側面シェード２０が長手方向にスライドすることによって、そのずれを吸収することができる。このため、冷蔵室５内が冷却されても、天井シェード１７及び側面シェード２０が破損することを防止することができる。
【００４２】
そして、これら天井シェード１７及び側面シェード２０は、スライドされた後においても、それぞれコーナーシェード９とラップしている。つまり、天井シェード１７及び側面シェード２０は、スライドの前後において、コーナーシェード９とラップしている。これによれば、コーナーシェード９と天井シェード１７との隙間、及びコーナーシェード９と側面シェード２０との隙間をほとんど目立たなくさせて、より意匠性を向上することができる。
【００４３】
また、例えば、内箱４と天井照明ユニットベース１５とが同系色で構成されていて、内箱４と天井照明ユニットベース１５とが接していれば、これらの境界線は目立ち難い。しかし、例えば、冷却による収縮などによって内箱４と天井照明ユニットベース１５とが離間した場合には、天井照明ユニットベース１５の影が内箱４に出来てしまい、これらの境界線が黒い影の線となって目立ってしまう。しかし、本実施形態よれば、天井シェード１７は、天井照明ユニットベース１５や天井照明取付部材１６の大部分を覆うようにして設けられている。同様に、側面シェード２０は、側面照明取付部材１９の大部分を覆うように設けられている。この構成によれば、内箱４と、天井照明ユニットベース１５や天井照明取付部材１６、側面照明取付部材１９との境界線に出来る影も、天井シェード１７又は側面シェード２０によって覆われるため、この影が目立つことなく、意匠性を良好に保つことができる。
【００４４】
そして、コーナーシェード９は、天井側係止爪９ａによって、冷蔵室５の中央方向への移動が規制されるとともに、側面係止部９ｄによって、冷蔵室５の外方への移動が規制された形態で、冷蔵室５の上側左右のコーナー部に固定されている。この構成によれば、冷蔵室５の冷却によって、コーナーシェード９や内箱４が変形したとしても、コーナーシェード９の移動は規制されているため、コーナーシェード９が取付部位から外れることを防止することができる。
【００４５】
さらに、冷蔵室５の天井には、発光ダイオード１４ｂ，１４ｄを有する天井照明用回路基板１４が収容され、左右側面には、発光ダイオード２１ｂ，２１ｃ，２１ｄを有する側面照明用回路基板２１が収容されている。そして、これら天井の発光ダイオード１４ｂ，１４ｃ、及び側面の発光ダイオード２１ｂ，２１ｃ，２１ｄから照射された光の一部は、光を導く光路手段であるコーナーシェード９に導かれた後、光拡散部９ｂを通って拡散され、冷蔵室５内に照射される。これによれば、冷蔵室５内の上部の隅部においても光が照射されるため、冷蔵室５内全体をより効率的に照明することができる。
【００４６】
以上のように、本実施形態の冷蔵庫によれば、貯蔵室と、前記貯蔵室内を照明する照明手段と、を有し、前記照明手段は、前記貯蔵室の天井から左右側面に連続して設けられている。この構成によれば、天井及び左右側面から照明されるため、例えば、最上段の食品載置棚の隅の位置であっても明るく照明することができる。これにより、貯蔵室内全体を明るく照明することができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
図面中、１は冷蔵庫本体、５は冷蔵室（貯蔵室）、６は照明ユニット（照明手段）、９はコーナーシェード、９ａは天井側係止爪（移動規制手段）、９ｄは側面係止部（移動規制手段）、１４ｂ、１４ｃは発光ダイオード（光源）、１６は天井照明取付部材（取付部）、１７は天井シェード、１９は側面照明取付部材（取付部）、２０は側面シェード、２１ｂ、２１ｃ、２１ｄは発光ダイオード（光源）を示す。
【図１】
0005683870.tif 000002
【図２】
0005683870.tif 000003
【図３】
0005683870.tif 000004
【図４】
0005683870.tif 000005
【図５】
0005683870.tif 000006
【図６】
0005683870.tif 000007
【図７】
0005683870.tif 000008
【図８】
0005683870.tif 000009
【図９】
0005683870.tif 000010
【図１０】
0005683870.tif 000011
【図１１】
0005683870.tif 000012
【図１２】
0005683870.tif 000013
【図１３】
0005683870.tif 000014
【図１４】
0005683870.tif 000015
【図１５】
0005683870.tif 000016
【図１６】
0005683870.tif 000017
【図１７】
0005683870.tif 000018
【図１８】
0005683870.tif 000019
【図１９】
0005683870.tif 000020
【図２０】
0005683870.tif 000021